(57)【要約】      （修正有）【課題】取出作業性を低下させることなく開封を可能とするとともに、確実に再封緘が可能な包装箱を提供する。【解決手段】第１外フラップ１５Ｂの一側に、先端縁１５ａから連続した側壁１１Ｂとの境界線（第２折曲線）に向けて延び、第１内フラップ１４Ｂの先端縁１４ａと交差する破断線２４を設け、開封により第１外フラップ１５Ｂを破断線２４に沿って破断し、開封後に、第１内フラップ１４Ｂ、第２外フラップ１５Ａおよび第２内フラップ１４Ａの順番で折り曲げた後、第２分割フラップ３０を折り曲げることにより、第１内フラップ１４Ｂの先端縁１４ａに係止して封緘可能な構成とする。【選択図】図４
2009102056.tif 000002
【特許請求の範囲】
【請求項１】
それぞれ対向する各一対の端壁および側壁を備え、前記各端壁の端縁に内フラップをそれぞれ連設するとともに、隣接する前記各側壁の端縁に外フラップを連設し、内外に重畳した内フラップおよび外フラップを貼着することにより封緘した包装箱において、
一方の第１外フラップの一側に、その先端縁から連続した側壁との境界線に向けて延び、内側に位置する第１内フラップの先端縁と交差する破断線を設け、
前記各フラップの開封により前記破断線に沿って第１外フラップを破断することにより、前記第１内フラップに貼着された状態を維持する第１分割フラップと、前記第１内フラップから分断させるとともに反対側に位置する第２内フラップから剥離される第２分割フラップとに分割可能とし、
開封後に、前記第１内フラップ、第２外フラップおよび第２内フラップの順番で折り曲げた後、前記第２分割フラップを折り曲げることにより、第１内フラップの先端縁に係止して封緘可能としたことを特徴とする包装箱。
【請求項２】
前記第１内フラップは、その先端隅部に該第１内フラップの横方向の寸法の半分未満の領域にかけて延びる面取部を備え、
前記破断線は、封緘状態で前記面取部上に位置するように第１外フラップの先端から連続した側壁に向けて直線的に延びる第１破断部と、該第１破断部の端部から第１内フラップの側に位置する第１外フラップの側縁に向けて延びる第２破断部とを備えることを特徴とする請求項１に記載の包装箱。
【発明の詳細な説明】
【技術分野】
【０００１】
本発明は、再封緘が可能な包装箱に関するものである。
【背景技術】
【０００２】
従来より、缶ビールなどの飲料を収容するラップアランド形式の包装箱は、それぞれ対向する一対の端壁および側壁を備え、各端壁に内フラップが連設され、各側壁に外フラップが連設されている。そして、側壁および端壁により囲繞された外周壁の開口端は、内フラップを折り曲げた後に外フラップを折り曲げ、これらの重畳部分を熱溶融樹脂からなる接着剤（ホットメルト）で貼着することにより封緘される。
【０００３】
近年では、消費者は、缶飲料を包装箱に収容された状態のまま箱ごと購入し、家庭にて包装箱を開封して、必要数だけ取り出して冷蔵している。そして、残りの缶飲料は、包装箱に収容したままの状態で保管される。
【０００４】
本発明の包装箱に関連する先行技術文献情報としては次のものがある。
【０００５】
【特許文献１】特開２００６−２４８５４６号公報
【０００６】
この特許文献１の包装箱には、一対の外フラップにおいて、同一方向の第１内フラップに位置する側部に、各外フラップを分割可能とするカット線が設けられている。このカット線は、封緘状態で第１内フラップの先端縁に位置する直線部および第１内フラップの側に突出する円弧部を有する第１破断部と、該第１破断部の端部から外フラップと側壁との稜部に沿って延びる第２破断部とを備えている。
【０００７】
そして、封緘状態の包装箱を開封する際には、まず、一対の外フラップを開放するように操作することにより、各外フラップを第１破断部に沿って破断し、各外フラップの一部のみを開放させる。その後、外フラップの残りが貼着されたままの第１内フラップは開封することなく、逆側の第２内フラップのみを開封する。これにより、商品を取り出した後に再び封緘する際には、第２内フラップを折り曲げた後、開放された一対の分割フラップを折り曲げ、円弧状に突出する突出片を第１内フラップの内側に押し込むことにより、再封緘可能に構成している。
【０００８】
しかしながら、この包装箱では、第１内フラップは、貼着されたままの外フラップの残留部分を介して側壁に連続した状態をなし、完全に開放した状態ではないため、内部の商品の取出作業性が悪いという問題がある。但し、第１内フラップに貼着されたままの外フラップの残留部分を第２破断部に沿って破断し、完全に解放した状態にすれば、取出作業性を向上できるが、このように開封した場合には、再封緘することができなくなる。
【発明の開示】
【発明が解決しようとする課題】
【０００９】
本発明は、従来の問題に鑑みてなされたもので、取出作業性を低下させることなく開封を可能とするとともに、確実に再封緘が可能な包装箱を提供することを課題とするものである。
【課題を解決するための手段】
【００１０】
前記課題を解決するため、本発明の包装箱は、それぞれ対向する各一対の端壁および側壁を備え、前記各端壁の端縁に内フラップをそれぞれ連設するとともに、隣接する前記各側壁の端縁に外フラップを連設し、内外に重畳した内フラップおよび外フラップを貼着することにより封緘した包装箱において、一方の第１外フラップの一側に、その先端縁から連続した側壁との境界線に向けて延び、内側に位置する第１内フラップの先端縁と交差する破断線を設け、前記各フラップの開封により前記破断線に沿って第１外フラップを破断することにより、前記第１内フラップに貼着された状態を維持する第１分割フラップと、前記第１内フラップから分断させるとともに反対側に位置する第２内フラップから剥離される第２分割フラップとに分割可能とし、開封後に、前記第１内フラップ、第２外フラップおよび第２内フラップの順番で折り曲げた後、前記第２分割フラップを折り曲げることにより、第１内フラップの先端縁に係止して封緘可能な構成としている。
【００１１】
この包装箱では、前記第１内フラップは、その先端隅部に該第１内フラップの横方向の寸法の半分未満の領域にかけて延びる面取部を備え、前記破断線は、封緘状態で前記面取部上に位置するように第１外フラップの先端から連続した側壁に向けて直線的に延びる第１破断部と、該第１破断部の端部から第１内フラップの側に位置する第１外フラップの側縁に向けて延びる第２破断部とを備えることが好ましい。
【発明の効果】
【００１２】
本発明の包装箱では、外フラップを内フラップから剥離するように開封することにより、第１外フラップを破断線に沿って破断し、その第１分割フラップのみを第１内フラップに貼着した状態のまま、完全に開封される。即ち包装箱の上端開口部には、何ら閉塞するような残留部分はないため、内部の商品を取り出す際の作業性を向上できる。また、開封後には、各フラップを所謂風車形態をなすように所定の順番で折り曲げることにより、破断線と交差するように構成した第１内フラップの先端縁に第２分割フラップが係合し、確実に再封緘することができる。
【発明を実施するための最良の形態】
【００１３】
以下、本発明の実施の形態を図面に従って説明する。
【００１４】
図１から図７は、本発明の実施形態に係る包装箱を示す。この包装箱は、図１に示すように、それぞれ対向する各一対の端壁１０Ａ，１０Ｂおよび側壁１１Ａ，１１Ｂを備え、これらの上下端縁にそれぞれ蓋壁を構成するフラップ１４Ａ，１４Ｂ〜１７Ａ，１７Ｂを連設したラップアランド形式のもので、上側に位置するフラップ１４Ａ，１４Ｂ，１５Ａ，１５Ｂに、再封緘するための構造を設けたものである。
【００１５】
この包装箱は、表紙および裏紙の間に波状の中しんを配設した段ボール紙を、周知の紙器打抜装置（図示せず）によって図６（Ａ）に示す連続した一枚のブランクとして打ち抜き、所定部位を糊付けにより貼着して成形される。
【００１６】
この包装箱のブランクは、図６（Ａ）に示すように、矩形状をなす端壁１０Ａ，１０Ｂおよび側壁１１Ａ，１１Ｂが交互かつ直線的に連続するように設けられている。具体的には、左端から右端にかけて、端壁１０Ａ、側壁１１Ａ、端壁１０Ｂおよび側壁１１Ｂの順番で連設されている。これらのうち、左側端部に位置する端壁１０Ａの側縁には、右側端部に位置する側壁１１Ｂに貼着するための糊代部１２が連設されている。そして、これら端壁１０Ａ，１０Ｂ、側壁１１Ａ，１１Ｂおよび糊代部１２の各境界線に位置する部分には、肉厚を圧縮するように罫を入れて形成した第１折曲線１３が設けられている。
【００１７】
前記端壁１０Ａ，１０Ｂの上端縁には、それぞれ上側内フラップ１４Ａ，１４Ｂが連設され、前記側壁１１Ａ，１１Ｂの上端縁には、それぞれ上側外フラップ１５Ａ，１５Ｂが連設されている。また、前記端壁１０Ａ，１０Ｂの下端縁には、それぞれ下側内フラップ１６Ａ，１６Ｂが連設され、前記側壁１１Ａ，１１Ｂの下端縁には、それぞれ下側外フラップ１７Ａ，１７Ｂが連設されている。そして、これら各フラップ１４Ａ，１４Ｂ〜１７Ａ，１７Ｂと連続した各壁１０Ａ，１０Ｂ，１１Ａ，１１Ｂとの境界線に位置する部分には、前記と同様の第２折曲線１８が設けられている。
【００１８】
横方向の寸法が長尺な外フラップ１５Ａ，１５Ｂ，１７Ａ，１７Ｂは、それぞれの先端縁が互いに突き合い、横方向の寸法が短尺な内フラップ１４Ａ，１４Ｂ，１６Ａ，１６Ｂは、それぞれの先端縁が互いに突き合わない寸法で形成されている。また、各フラップ１４Ａ，１４Ｂ〜１７Ａ，１７Ｂの突出寸法は、全て同一であり、その先端が直線的に一致するように構成している。
【００１９】
そのうち、各外フラップ１５Ａ，１５Ｂ，１７Ａ，１７Ｂの先端縁両側には、１／４の長円形状をなすように打ち抜いた打抜部１９が設けられている。この打抜部１９の横方向の幅は、内フラップ１４Ａ，１４Ｂ，１６Ａ，１６Ｂの突出寸法より短く設定され、内フラップ１４Ａ，１４Ｂ，１６Ａ，１６Ｂが内側に位置した封緘状態で、内部が露出するような孔が形成されないように構成されている。また、打抜部１９において、直線的に延びる縁辺は、外フラップ１５Ａ，１５Ｂ，１７Ａ，１７Ｂの先端縁と平行に延びるように構成されている。
【００２０】
そして、本実施形態では、上側に位置するフラップ１４Ａ，１４Ｂ，１５Ａ，１５Ｂは、所謂風車形態をなすように順番に折り曲げることにより再封緘を可能とするために、上側内フラップ１４Ｂに面取部２０を設けるとともに、上側外フラップ１５Ｂに破断線２４を設けた構成としている。なお、本実施形態では、端壁１０Ｂに連設した上側内フラップ１４Ｂを一番目に折り曲げる第１内フラップとし、側壁１１Ａに連設した上側外フラップ１５Ａを二番目に折り曲げる第２外フラップとし、端壁１０Ａに連設した上側内フラップ１４Ａを三番目に折り曲げる第２内フラップとし、側壁１１Ｂに連設した上側外フラップ１５Ｂ（第２分割フラップ３０）を四番目に折り曲げる第１外フラップとしている。
【００２１】
前記面取部２０は、上側内フラップ１４Ｂの先端隅部において、破断線２４を形成する上側外フラップ１５Ｂと重畳する半分の領域内に設けられている。この面取部２０は、上側外フラップ１５Ｂの側から、上側内フラップ１４Ｂの先端縁１４ａと平行に延びる重畳縁２１と、該重畳縁２１の端部から上側内フラップ１４Ｂの先端縁１４ａに向けて傾斜して延びる傾斜縁２２とを備えた台形状のものである。そして、この面取部２０は、上側内フラップ１４Ｂの先端縁１４ａと傾斜縁２２との交差部が、上側内フラップ１４Ｂの横方向の寸法の半分未満の位置、より具体的には、端壁１０Ｂの横方向の幅寸法の半分未満の位置になるように設けられている。これにより、上側内フラップ１４Ｂは、封緘状態で上側外フラップ１５Ａから階段状に突出した状態をなし、面取部２０を設けていない突出部分が係止部２３を構成する。即ち、本実施形態では、上側内フラップ２４の先端縁は、面取部２０を設けることによる重畳縁２１および傾斜縁２２を含めて構成されている。
【００２２】
前記破断線２４は、上側外フラップ１５Ｂにおいて、封緘状態で面取部２０を設けた上側内フラップ１４Ｂの先端縁と交差するように、上側外フラップ１５Ｂの先端縁１５ａから連続した側壁１１Ｂとの境界線である第２折曲線１８に向けて延びるように設けられている。具体的には、この破断線２４は、上側外フラップ１５Ｂの先端縁１５ａから連続した側壁１１Ｂとの境界の第２折曲線１８に向けて直交方向に延びる第１破断部２５と、該第１破断部２５の端部から上側外フラップ１５Ｂの側縁に向けて延びる第２破断部２６とを備えている。第１破断部２５は、図７に示すように、封緘状態で上側内フラップ１４Ｂの重畳縁２１上に位置するように設けられている。第２破断部２６は、上側内フラップ１４Ｂと側壁１１Ｂとの境界の第２折曲線１８に沿って、上側内フラップ１４Ｂの側に位置する上側外フラップ１５Ｂの側縁に向けて延びるように設けられている。これら破断部２５，２６は、図６（Ｂ）に示すように、所定間隔をもってミシン目状に延びる切断線２７と、この切断線２７において破断方向手前側の端部から傾斜して延びるガイド用切断線２８とからなる片ジッパー構造のものである。第１破断部２５のガイド用切断線２８は、封緘状態で上側内フラップ１４Ｂから離間する方向に延びるように設けられている。第２破断部２６のガイド用切断線２８は、上側外フラップ１５Ｂ内に延びるように設けられている。このように破断線２４を形成した上側外フラップ１５Ｂは、第１破断部２５に沿って破断することにより、上側内フラップ１４Ｂの側に位置する第１分割フラップ２９と、上側内フラップ１４Ａの側に位置する第２分割フラップ３０とに分割可能となっている。
【００２３】
前記構成の包装箱は、例えば、図６（Ａ）に示すブランクの状態で所定の製造メーカに出荷され、自動組立包装装置により封緘される。具体的には、包装箱のブランクを平坦に配置した状態で、側壁１１Ａに６行４列の配列で缶飲料が載置される。その後、側壁１１Ａに対して端壁１０Ａを折り曲げた後、端壁１０Ａに対して糊代部１２を折り曲げる。また、側壁１１Ａに対して端壁１０Ｂを折り曲げた後、側壁１１Ｂを折り曲げる。そして、重畳する糊代部１２と側壁１１Ｂの縁とを熱溶融樹脂からなる接着剤（ホットメルト）で貼着する。
【００２４】
ついで、各壁１０Ａ，１０Ｂ，１１Ａ，１１Ｂで四方を囲繞した外周壁の開口端を、フラップ１４Ａ，１４Ｂ〜１７Ａ，１７Ｂで閉塞する。具体的には、端壁１０Ａ，１０Ｂに対して各内フラップ１４Ａ，１４Ｂ，１６Ａ，１６Ｂを折り曲げた後、側壁１１Ａ，１１Ｂに対して各外フラップ１５Ａ，１５Ｂ，１７Ａ，１７Ｂを折り曲げる。そして、内フラップ１４Ａ，１４Ｂ，１６Ａ，１６Ｂと外フラップ１５Ａ，１５Ｂ，１７Ａ，１７Ｂとの重畳部分を、前記と同様にホットメルトによって貼着し、図１に示す封緘状態とする。この際、熱溶融樹脂は、上側外フラップ１５Ｂに設けた破断線２４には至らず、第１分割フラップ２９の領域内のみである。
【００２５】
この包装箱に収容された商品を消費者が箱ごと購入し、家庭で開封する場合には、心理的に貼着領域を避けて上側外フラップ１５の中央部分に指を差し込み、突き合った上側外フラップ１５Ａ，１５Ｂの一方の内面に指を引っ掛けて引き上げる。そうすると、図２に示すように、破断線２４を設けていない上側外フラップ１５Ａは、上側内フラップ１４Ａ，１４Ｂと貼着された両側が剥離されて開放される。また、破断線２４を設けた上側外フラップ１５Ｂは、その開封時の操作力で破断線２４の第１破断部２５に沿って破断される。これにより、この上側外フラップ１５Ｂは、上側内フラップ１４Ｂに貼着された状態を維持する第１分割フラップ２９と、上側内フラップ１４Ｂから分断され、第２内フラップから剥離される第２分割フラップ３０とに分割される。
【００２６】
ついで、図３に示すように、一対の上側内フラップ１４Ａ，１４Ｂを上向きに引き上げる。そうすると、上側外フラップ１５Ａ，１５Ｂが剥離された上側内フラップ１４Ａは、そのまま上向きに延びるように開放される。また、第１破断部２５の破断により第１分割フラップ２９が外面に貼着された状態のままの上側内フラップ１４Ｂは、その操作力により第２破断部２６が破断されて、上向きに延びるように開放される。
【００２７】
この図３に示す開封状態では、四方を囲繞した壁１０Ａ，１０Ｂ，１１Ａ，１１Ｂの上端開口部に何ら閉塞するような残留部分はない。そのため、包装箱の内部の商品を取り出す際の作業性を向上できる。そして、希望量の商品を取り出すと、残留する商品を保管するために、開放した上端開口を再び封緘する。
【００２８】
具体的には、図４に示すように、まず、第１分割フラップ２９が貼着された状態の上側内フラップ１４Ｂを内向きに折り曲げ、ついで、上側外フラップ１５Ａを折り曲げた後、上側内フラップ１４Ａを折り曲げる。この状態では、上側内フラップ１４は、上側外フラップ１５Ａの先端縁および第１分割フラップ２９の破断縁から、面取部２０の非形成部分による係止部２３が突出した状態をなす。
【００２９】
この状態で、第２分割フラップ３０を折り曲げ、図５に示すように、第１破断部２５による破断縁先端部分を、係止部２３の下側に位置するように押し込む。これにより、第２分割フラップ３０が段ボール紙の腰により開放する方向に復元力が作用するため、該第２分割フラップ３０の破断縁先端が係止部２３に係止した状態をなす。その結果、図示の再封緘状態を確実に維持できる。
【００３０】
このように、本実施形態の包装箱は、上側外フラップ１５Ａ，１５Ｂを上側内フラップ１４Ａ，１４Ｂから剥離するように開封することにより、第１外フラップである上側外フラップ１５Ｂを破断し、第１分割フラップ２９のみを第１内フラップである上側内フラップ１４Ｂに貼着した状態のまま、完全に開封することができる。そして、開封したフラップ１４Ａ，１４Ｂ，１５Ａ，１５Ｂは、所謂風車形態をなすように所定の順番で折り曲げることにより、面取部２０によって第１破断部２５と交差するように構成した上側内フラップ１４Ｂの先端縁に第２分割フラップ３０が係合するため、確実に再封緘することができる。しかも、再封緘状態を維持するための係止部２３は、面取部２０を設けていない部分で構成されるため、その大きさに対応する係止力を容易に調整することができる。
【００３１】
なお、本発明の包装箱は、前記実施形態の構成に限定されるものではなく、種々の変更が可能である。
【００３２】
例えば、前記実施形態では、一対の分割フラップ２９，３０に区画するための破断線２４を、側壁１１Ｂとの境界線である第２折曲線１８に対して直交方向に延びるように設けた第１破断部２５と、境界線である第２折曲線１８に沿って延びる第２破断部２６とで構成したが、図８（Ａ）に示すように、第１破断部２５を、隣接する上側内フラップ１４Ｂの先端縁と交差するように、該上側内フラップ１４Ｂの先端縁から連続した側壁１１Ｂとの境界線である第２折曲線１８にかけて傾斜して延びるように形成してもよい。この場合、上側内フラップ１４Ｂには面取部２０を設けることなく、係止が可能であり、その係止力も第１破断部２５の傾斜角度を変更することにより調整可能である。
【００３３】
また、前記実施形態では、第２破断部２６を上側外フラップ１５Ｂと側壁１１Ｂとの境界線である第２折曲線１８に沿って設けたが、図８（Ａ）に示すように、第２折曲線１８から所定間隔をもって平行に位置するように、上側外フラップ１５Ｂに設けてもよい。この場合、第２破断部２６は、図示のように、第２折曲線１８と上側内フラップ１４Ｂの側縁との間に位置するように設けることが好ましい。
【００３４】
さらに、破断線２４は、一対の破断部２５，２６を有する構成に限られず、図８（Ｂ）に示すように、上側外フラップ１５Ｂの先端縁から連続した側壁１１Ｂとの境界である第２折曲線１８に向けて、かつ、上側外フラップ１５Ｂの側縁に向けて延びるように湾曲した１本の破断部により構成してもよい。この場合、図示のように、内側に位置する上側内フラップ１４Ｂは、中央部先端縁が破断線２４より内（中央）側に位置するように湾曲した面取部２０を設ける。
【００３５】
さらにまた、前記実施形態では、上側外フラップ１５Ｂにのみ再封緘するための破断線２４を設けたが、下側外フラップ１７Ａ，１７Ｂの一方に同様に破断線２４を設け、上下の制限を無くすようにしてもよい。
【００３６】
そして、前記実施形態では、破断線２４を切断線２７とガイド用切断線２８とからなる片ジッパー構造としたが、ミシン目状をなすように所定間隔をもって切断線２７のみを設けた構成や、段ボール紙の表紙のみを切断した所謂半切り状態の切断線により構成してもよい。
【００３７】
また、前記各実施形態では、端壁１０Ａ，１０Ｂ、側壁１１Ａ，１１Ｂおよびフラップからなる蓋壁により構成した六面体構造としたが、各端壁１０Ａ，１０Ｂと側壁１１Ａ，１１Ｂとの間に面取り壁を設けた構成としてもよい。
【００３８】
また、前記各実施形態では、ブランクの状態で商品を配置した後に封緘するラップアランド形式の包装箱に、本願発明の再封緘可能な破断構造を採用したが、組み立てた状態の内部に商品を収容した後に封緘する汎用の包装箱にも、同様に適用可能である。
【図面の簡単な説明】
【００３９】
【図１】本発明の実施形態に係る包装箱を示す斜視図である。
【図２】開封時の一工程を示す斜視図である。
【図３】開封状態を示す斜視図である。
【図４】再封緘時の一工程を示す斜視図である。
【図５】再封緘状態を示す斜視図である。
【図６】（Ａ）は包装箱のブランクを示す平面図、（Ｂ）は（Ａ）の一部を示す拡大平面図である。
【図７】封緘状態の一部を示す平面図である。
【図８】（Ａ），（Ｂ）は変形例の包装箱の封緘状態の一部を示す平面図である。
【符号の説明】
【００４０】
１０Ａ，１０Ｂ…端壁
１１Ａ，１１Ｂ…側壁
１３…第１折曲線
１４Ａ，１４Ｂ…上側内フラップ
１４ａ…先端縁
１５Ａ，１５Ｂ…上側外フラップ
１５ａ…先端縁
１８…第２折曲線（境界線）
２０…面取部
２１…重畳縁
２２…傾斜縁
２３…係止部
２４…破断線
２５…第１破断部
２６…第２破断部
２９…第１分割フラップ
３０…第２分割フラップ
【図１】
2009102056.tif 000003
【図２】
2009102056.tif 000004
【図３】
2009102056.tif 000005
【図４】
2009102056.tif 000006
【図５】
2009102056.tif 000007
【図６】
2009102056.tif 000008
【図７】
2009102056.tif 000009
【図８】
2009102056.tif 000010